(57)【要約】【課題】レイアウトの自由度を高めることができる収納ユニット及び収納ユニットの施工方法を提供する。【解決手段】収納ユニット１００は、板面が対向するように、幅方向に隣り合って配置された複数の板材１Ａ，１Ｄと、隣り合う板材１Ａ，１Ｄどうしを連結する連結部材３と、を備え、連結部材３は、板材１Ａ，１Ｄにおける隣り合う板材１Ｄ，１Ａ側を向く面１ｍの上部且つ後部に連結され、複数の板材１Ａ，１Ｄのうち少なくとも１枚の板材１Ａは、壁Ｗ１，Ｗ２に固定されていることを特徴とする。【選択図】図１
2020062328.tif 000002
【特許請求の範囲】
【請求項１】
板面が対向するように、幅方向に隣り合って配置された複数の板材と、
隣り合う前記板材どうしを連結する連結部材と、を備え、
該連結部材は、前記板材における隣り合う前記板材側を向く面の上部且つ後部に連結され、
前記複数の板材のうち少なくとも１枚の前記板材は、壁に固定されていることを特徴とする収納ユニット。
【請求項２】
前記板材は、
前記幅方向に離間して配置された一対の側板と、
該一対の側板の間に配置された中仕切板と、を有し、
前記一対の側板は、前記壁に固定されている請求項１に記載の収納ユニット。
【請求項３】
隣り合う前記板材の間に配置された棚板と、
前記棚板を前記板材に支持させる棚板支持手段と、を備え、
少なくとも１枚の前記棚板は、前記幅方向の両端部が、棚板固定手段により前記板材に固定されている請求項１または２に記載の収納ユニット。
【請求項４】
前記板材における前記棚板側を向く面には、レールが設けられ、
前記棚板支持手段は、
前記棚板に係合される棚板被係合部と、
前記レールに係合されるレール被係合部と、を有する請求項３に記載の収納ユニット。
【請求項５】
一対の側板を幅方向に離間して配置し、前記一対の側板を壁に固定する側板固定工程と、
前記幅方向に延びる第一連結部材の一端部を、前記一対の側板のうち一方の側板における前記幅方向の内側を向く面の上部且つ後部に連結する第一連結部材設置工程と、
前記一対の側板の間に中仕切板を配置して、前記中仕切板における前記一方の側板側を向く面の上部且つ後部に前記第一連結部材の他端部を連結する中仕切板連結工程と、
前記中仕切板の下端部を床に固定する中仕切板固定工程と、
前記中仕切板と前記一対の側板のうち他方の側板との間に、前記幅方向に延びる第二連結部材を配置し、該第二連結部材の一端部を、前記中仕切板における前記他方の側板側を向く面の上部且つ後部に連結するとともに、前記第二連結部材の他端部を、前記他方の側板における前記中仕切板側を向く面の上部且つ後部に連結する第二連結部材連結工程と、
前記側板と前記中仕切板との間に棚板を配置して、該棚板を前記側板及び前記中仕切板に支持させる棚板支持工程と、
少なくとも１枚の前記棚板を、前記側板及び前記中仕切板に固定する棚板固定工程と、を備えることを特徴とする収納ユニットの施工方法。
【発明の詳細な説明】
【技術分野】
【０００１】
本発明は、収納ユニット及び収納ユニットの施工方法に関するものである。
【背景技術】
【０００２】
従来から、住宅の収納空間には、衣類や小物等の物品を収容可能なクローゼット等の収納ユニットが設置されている。
【０００３】
例えば、下記の特許文献１では、前方が開口し後方及び左右両側に壁が設置された収納空間が形成され、当該収納空間に背板及び側板等を有する収納ユニットが配置されている。背板が後方の壁に沿って配置され、側板が左右両側の壁に沿って配置され、側板間には棚板やハンガーを掛けることができるハンガーパイプ等が設けられている。また、後方の壁には木桟等の補強桟が設けられ、背板は補強桟に螺子固定されている。
【先行技術文献】
【特許文献】
【０００４】
【特許文献１】特開２０１８−１０４９５０号公報
【発明の概要】
【発明が解決しようとする課題】
【０００５】
しかしながら、上記の特許文献１の収納ユニットの固定方法では、後方の壁には補強桟が必要であるため、収納ユニットのレイアウト変更が容易にできなかったり、リフォームする際に後方の壁に補強桟を設けなければならなかったりするという問題点がある。
【０００６】
そこで、本発明は、上記事情に鑑みてなされたものであり、レイアウトの自由度を高めることができる収納ユニット及び収納ユニットの施工方法を提供する。
【課題を解決するための手段】
【０００７】
上記目的を達成するために、本発明は以下の手段を採用している。
すなわち、本発明に係る収納ユニットは、板面が対向するように、幅方向に隣り合って配置された複数の板材と、隣り合う前記板材どうしを連結する連結部材と、を備え、該連結部材は、前記板材における隣り合う前記板材側を向く面の上部且つ後部に連結され、前記複数の板材のうち少なくとも１枚の前記板材は、壁に固定されていることを特徴とする。
【０００８】
このように構成された収納ユニットでは、幅方向に隣り合って配置された板材どうしは、隣り合う板材側を向く面の上部且つ後部が連結部材で連結されている。これにより、収納ユニットの剛性が高められる。また、複数の板材のうち少なくとも１枚の板材が壁に固定されることで、収納ユニットは設置される。よって、後方の壁の補強桟等に固定する必要がなく、後方の壁の仕様が限定されず、あるいは後方に壁が配置されていなくてもよいため、レイアウトの自由度を高めることができる。
【０００９】
また、本発明に係る収納ユニットでは、前記板材は、前記幅方向に離間して配置された一対の側板と、該一対の側板の間に配置された中仕切板と、を有し、前記一対の側板は、前記壁に固定されていることが好ましい。
【００１０】
このように構成された収納ユニットでは、中仕切板が幅方向に離間して配置された一対の側板の間に配置されているため、収納ユニット内の空間を中仕切板で幅方向に分割することができる。
【００１１】
また、本発明に係る収納ユニットは、隣り合う前記板材の間に配置された棚板と、前記棚板を前記板材に支持させる棚板支持手段と、を備え、少なくとも１枚の前記棚板は、前記幅方向の両端部が、棚板固定手段により前記板材に固定されていてもよい。
【００１２】
このように構成された収納ユニットでは、棚板支持手段により棚板を板材に支持させることで、隣り合う板材の間に棚板を設けることができる。また、少なくとも１枚の棚板は、幅方向の両端部が、棚板固定手段により板材に固定されている。よって、棚板が両側の板材を幅方向に突っ張るため、収納ユニットの剛性がより高められる。
【００１３】
また、本発明に係る収納ユニットは、前記板材における前記棚板側を向く面には、レールが設けられ、前記棚板支持手段は、前記棚板に係合される棚板被係合部と、前記レールに係合されるレール被係合部と、を有していてもよい。
【００１４】
このように構成された収納ユニットでは、棚板を板材に支持させる際には、レール被係合部をレールに係合させて、棚板被係合部を棚板に係合させればよい。よって、棚板を板材に容易に支持させることができる。
【００１５】
また、本発明に係る収納ユニットの施工方法は、一対の側板を幅方向に離間して配置し、前記一対の側板を壁に固定する側板固定工程と、前記幅方向に延びる第一連結部材の一端部を、前記一対の側板のうち一方の側板における前記幅方向の内側を向く面の上部且つ後部に連結する第一連結部材設置工程と、前記一対の側板の間に中仕切板を配置して、前記中仕切板における前記一方の側板側を向く面の上部且つ後部に前記第一連結部材の他端部を連結する中仕切板連結工程と、前記中仕切板の下端部を床に固定する中仕切板固定工程と、前記中仕切板と前記一対の側板のうち他方の側板との間に、前記幅方向に延びる第二連結部材を配置し、該第二連結部材の一端部を、前記中仕切板における前記他方の側板側を向く面の上部且つ後部に連結するとともに、前記第二連結部材の他端部を、前記他方の側板における前記中仕切板側を向く面の上部且つ後部に連結する第二連結部材連結工程と、前記側板と前記中仕切板との間に棚板を配置して、該棚板を前記側板及び前記中仕切板に支持させる棚板支持工程と、少なくとも１枚の前記棚板を、前記側板及び前記中仕切板に固定する棚板固定工程と、を備えることを特徴とする。
【００１６】
このように構成された収納ユニットの施工方法では、側板と中仕切板とは、互いに対向する面の上部且つ後部どうしが第一連結部材または第二連結部材で連結されている。これにより、収納ユニットの剛性が高められる。
また、側板を壁に固定することで、収納ユニットは設置される。よって、後方の壁の補強桟等に固定する必要がなく、後方の壁の仕様が限定されず、あるいは後方に壁が配置されていなくてもよいため、レイアウトの自由度を高めることができる。
また、中仕切板を設置する際には、中仕切板を第一連結部材に当接するように配置すればよく、中仕切板の位置決めがしやすい。
【発明の効果】
【００１７】
本発明に係る収納ユニット及び収納ユニットの施工方法によれば、レイアウトの自由度を高めることができる。
【図面の簡単な説明】
【００１８】
【図１】本発明の一実施形態に係る収納ユニットの斜視図である。
【図２】図１のＡ−Ａ線断面図である。
【図３】図１のＢ−Ｂ線断面図である。
【図４】本発明の一実施形態に係る収納ユニットの棚板の取付構造を示す分解斜視図である。
【図５】本発明の一実施形態に係る収納ユニットのＬ字棚板ユニットの取付構造を示す図であり、下方から見た斜視図である。
【図６】本発明の一実施形態に係る収納ユニットのＬ字棚板ユニットの取り付けに用いられるＬ字棚受け金具の構成を示す斜視図である。
【図７】図５のＣ−Ｃ線断面図である。
【図８】本発明の一実施形態の変形例に係る収納ユニットの斜視図である。
【発明を実施するための形態】
【００１９】
本発明の一実施形態に係る収納ユニットについて、図面を用いて説明する。
図１は、本発明の一実施形態に係る収納ユニットの斜視図である。
本実施形態の収納ユニットは、居室の収納空間等に設置されるものである。図１に示すように、収納ユニット１００は、一対の側板（板材）１Ａと、中仕切板（板材）１Ｄと、上桟（連結部材）３と、幅木４と、各種オプション取付部材ＯＰと、を備えている。本実施形態では、オプション取付部材ＯＰとして、棚板５、Ｌ字棚板ユニット６Ａ、ハンガーパイプ７、フック８、サイドバー９と、を有している。
なお、以下の説明において、側板１Ａ及び中仕切板１Ｄを総称して、板材１と称することがある。
【００２０】
収納ユニット１００は、側板１Ａ、上桟３及び幅木４が設けられる側が、収納空間を形成する壁Ｗ１，Ｗ２，Ｗ３に沿って配置されるものである。なお、図１では、壁Ｗ１，Ｗ２，Ｗ３は図示せず、壁Ｗ１，Ｗ２，Ｗ３が配置される箇所に符号のみ付している。
便宜上、一対の側板１Ａの離間方向を幅方向と称し、幅方向と直交する水平方向を前後方向と称する。また、前後方向のうち、横桟側と後側とし、横桟側と反対側を前側と称する。
【００２１】
一対の側板１Ａは、幅方向に離間して配置されている。各側板１Ａは、長方形の板状に形成されている。側板１Ａは、板厚方向を幅方向に向けて配置されている。
【００２２】
図２は、図１のＡ−Ａ線断面図である。
図２に示すように、側板１Ａは、横芯材１１と縦芯材１２とを組付けた形成された枠体１０と、枠体１０の両側（収納ユニット１００の幅方向の両側）に配置された面材１５と、を有したいわゆるフラッシュ構造である。
【００２３】
図１に示すように、各側板１Ａは、収納ユニット１００の幅方向の両側の壁Ｗ１，Ｗ２に、螺子（不図示。以下同じ。）で上下及び前後にそれぞれ複数箇所固定されている。なお、一対の側板１Ａの両方が壁Ｗ１，Ｗ２に固定されておらず、一対の側板１Ａのうちいずれか一方の側板１Ａが壁Ｗ１または壁Ｗ２に固定される構成であってもよい。
【００２４】
さらに、側板１Ａの下端部は、螺子（不図示。以下同じ。）で床に前後方向に複数箇所固定され、各螺子には螺子隠しキャップ１６が被せられている。
【００２５】
側板１Ａの板厚方向の一方側には、詳細については後述するレール２が設けられている。レール２が設けられた側が、幅方向の内側を向くように配置されている。
【００２６】
中仕切板１Ｄは、一対の側板１Ａ間の中間に配置されている。側板１Ａと中仕切板１Ｄとは、各板面（面材１５の表面）が対向するように配置されている。本実施形態では、一対の側板１Ａ間の略中央に配置されている。
【００２７】
一対の側板１Ａ間に中仕切板１Ｄが配置されることで、収納ユニット１００の内部が幅方向に２分割されている。換言すると、収納内部空間（１スパン）が２個並んだ２スパンとされている。分割された収納内部空間のうち、収納ユニット１００を正面視して左側を第１収納内部空間Ｓ１と称し、右側を第２収納内部空間Ｓ２と称することとする。
【００２８】
中仕切板１Ｄは、長方形の板状に形成されている。中仕切板１Ｄは、板厚方向を幅方向に向けて配置されている。
【００２９】
中仕切板１Ｄは、側板１Ａと同様にいわゆるフラッシュ構造である。中仕切板１Ｄの板厚方向の両側には、レール２が設けられている。なお、中仕切板１Ｄの板厚方向の一方側にのみ、レール２が設けられる構成であってもよい。
【００３０】
中仕切板１Ｄの下端部は、螺子（不図示。以下同じ。）で床に前後方向に複数箇所固定され、各螺子には螺子隠しキャップ１６が被せられている。
【００３１】
上桟３は、第１収納内部空間Ｓ１を形成する側板１Ａと中仕切板１Ｄとの間、及び第２収納内部空間Ｓ２を形成する中仕切板１Ｄと側板１Ａとの間に、それぞれ設けられている。
【００３２】
各上桟３は、収納ユニット１００の幅方向に延びている。上桟３は、収納ユニット１００の幅方向に延びる棒状をなしている。本実施形態では、上桟３は、長い直方体状をなしている。
【００３３】
上桟３の両端部３ａ，３ｂは、それぞれ板材１における隣り合う板材１側を向く面（取付面）１ｍの上端部且つ後端部に連結されている。
【００３４】
上桟３の端部３ａ，３ｂはそれぞれ、板材１に上桟固定金具３６を介して固定されている。
【００３５】
図２に示すように、上桟固定金具３６は、第１固定片３７と、第２固定片３８と、支持片３９と、を有している。
【００３６】
第１固定片３７は、板材１の取付面１ｍに沿って配置されている。第１固定片３７の取付孔３７ｈから挿通された螺子３７ｚが、板材１の面材１５を貫通して縦芯材１２に螺合されている。
【００３７】
第２固定片３８は、第１固定片３７の後端部から上桟３の延在方向の中央側に向かって延びている。第２固定片３８は、上桟３の前面３ｆに沿って配置されている。第２固定片３８の取付孔（不図示。以下同じ。）から挿通された螺子３８ｚが、上桟３に螺合されている。
【００３８】
支持片３９は、第２固定片３８の下端部から後方に向かって延びている。支持片３９は、上桟３の下面３ｄに沿って配置されている。
【００３９】
第１固定片３７が板材１に固定され、第２固定片３８が上桟３に固定され、支持片３９が上桟３を支持することで、上桟３は板材１に固定されている。本実施形態では、隣り合う板材１どうしは上桟３で連結されているのみであり、板材１どうしを連結する部材は上桟３以外にはない。
【００４０】
図１に示すように、幅木４は、第１収納内部空間Ｓ１を形成する側板１Ａと中仕切板１Ｄとの間、及び第２収納内部空間Ｓ２を形成する中仕切板１Ｄと側板１Ａとの間にそれぞれ設けられている。
【００４１】
幅木４は、収納ユニット１００の幅方向に延びている。幅木４は、収納ユニット１００の幅方向に長い直方体状をなしている。
【００４２】
幅木４の両端部４ａ，４ｂは、それぞれ板材１の取付面１ｍの下端部且つ後端部に当接している。幅木４は、後方の壁Ｗ３にタッカー等（不図示。以下同じ。）で固定されている。
【００４３】
次に、各種オプション取付部材ＯＰの構成、及び各種オプション取付部材ＯＰの板材１のレール２への取付構造について説明する。
まず、板材１に設けられたレール２について説明する。
レール２は、板材１の取付面１ｍに設けられている。レール２は、前後方向に沿って延び、板材１の前後方向の略全長にわたって設けられている。
【００４４】
レール２は、板材１の上下方向に間隔を有して複数設けられている。本実施形態では、板材１に５本のレール２が設けられているが、レール２の本数は適宜設定可能である。
【００４５】
図３は、図１のＢ−Ｂ線断面図である。
図３に示すように、板材１の取付面１ｍには、板厚方向に向かって凹む溝１８が形成されている。溝１８は、前後方向に沿って延び、板材１の前後方向の略全長にわたって設けられている。
【００４６】
溝１８は、板材１の板厚方向に沿う断面視で、略矩形状をなしている。溝１８の底部（凹む方向の奥側の部分）１８ａには、接着剤１９が設けられている。溝１８には、レール２が嵌合されている。
【００４７】
レール２は、レール底壁部２１と、レール側壁部２２と、レールフランジ壁部２３と、を有している。
【００４８】
レール底壁部２１は、溝１８の底部１８ａに沿って配置されている。レール底壁部２１は、略板状に形成されている。レール底壁部２１は、板厚方向を収納ユニット１００の幅方向に向けて配置されている。
【００４９】
レール底壁部２１は、溝１８の底部１８ａに設けられた接着剤１９に当接することで、溝１８に固定されている。従来のようにレール２を板材１に螺子で固定する場合には、螺子が板材１を貫通しないように板材１の厚みを厚くしておく必要があるが、本実施形態では、レール２を溝１８に接着剤１９で固定する構成であるため、板材１の厚みを薄くすることができる。
【００５０】
レール側壁部２２は、レール底壁部２１の上下方向の両端部から、それぞれレール底壁部２１と直交する方向である溝１８の開口側（底部１８ａ側と反対側）に向かって延びている。レール側壁部２２は、略板状に形成されている。レール側壁部２２は、板厚方向を上下方向に向けて配置されている。
【００５１】
レールフランジ壁部２３は、各レール側壁部２２の端部（溝１８の開口側の端部）から、レール側壁部２２と直交する方向である板材１の取付面１ｍに沿う方向に延びている。レールフランジ壁部２３は、略板状に形成されている。レールフランジ壁部２３は、板厚方向を収納ユニット１００の幅方向に向けて配置されている。
【００５２】
各レールフランジ壁部２３において、溝１８の内側に向かう側を内向き壁部２４とし、溝１８の外側に向かう側を外向き壁部２５とする。
【００５３】
上下の内向き壁部２４の間には、隙間が形成されている。外向き壁部２５は、板材１の取付面１ｍに沿って配置されている。
【００５４】
次に、棚板５及び棚板５の取付構造について説明する。
図１に示すように、棚板５は、隣り合う板材１の間に配置されている。棚板５は、板状に形成されている。棚板５は、板厚方向を上下方向に向けて配置されている。棚板５には、物品等が載置可能である。
以下の説明において、棚板５における収納ユニット１００の幅方向を棚幅方向と称することがある。
【００５５】
図３に示すように、棚板５の下面５ｄには、棚幅方向の両端部且つ前後方向の両端部にそれぞれ、上方に向かって凹む取付穴５ｈが形成されている。取付穴５ｈには、嵌合キャップ５１が嵌合されている。嵌合キャップ５１の内部には、上下方向に貫通し棚幅方向に所定の長さを有する棚係合穴５２が形成されている。
【００５６】
図４は、棚板５の取付構造を示す分解斜視図である。
図３及び図４に示すように、棚板５は、棚板支持手段である棚受け金具（係合部材）５００を介して板材１に支持されている。棚受け金具５００は、棚板５の嵌合キャップ５１と対応する箇所に設けられている。
【００５７】
棚受け金具５００は、支持面部５０１と、棚係合爪（棚板被係合部）５１１と、レール係合片（レール被係合部）５２１と、を有している。
【００５８】
支持面部５０１は、板状に形成されている。支持面部５０１は、板厚方向を上下方向に向けて配置されている。支持面部５０１の上面に棚板５の下面５ｄが当接配置され、支持面部５０１上に棚板５が載置されている。支持面部５０１は、平面視で略矩形状をなしている。支持面部５０１の平面視略中央には、上下方向に貫通する貫通孔５０２が形成されている。
【００５９】
図３に示すように、棚係合爪５１１は、支持面部５０１から上方に向かって突出している。棚係合爪５１１は、支持面部５０１の貫通孔５０２の縁部のうちレール２から離間した側に設けられている。棚係合爪５１１は、棚板５に形成された棚係合穴５２に係合されている。
【００６０】
棚係合爪５１１の厚さ（棚幅方向に沿う長さ）寸法は、棚板５の棚係合穴５２の長さ（棚幅方向に沿う長さ）寸法よりも小さい。これにより、棚係合爪５１１は、棚係合穴５２内で棚幅方向に位置が調整可能とされている。
【００６１】
レール係合片５２１は、傾斜部５２２と、上向き部５２３と、延出部５２４と、係合部５２５と、を有している。
【００６２】
傾斜部５２２は、支持面部５０１の端部（レール２に近接する側の端部）から、上方に向かうにしたがって次第に板材１から離間する方向（棚幅方向の内側）に延びている。傾斜部５２２の下端部は、板材１の取付面１ｍに当接している。
【００６３】
上向き部５２３は、傾斜部５２２の上端部から鉛直上方に延びている。上方に向かうにしたがって次第に側板１Ａから離間する方向に向かう傾斜部５２２が設けられていることで、上向き部５２３は板材１と棚幅方向に離間して配置されている。
【００６４】
延出部５２４は、上向き部５２３の上端部から、上向き部５２３と直交する方向である板材１の溝１８の底部１８ａに向かう方向（棚幅方向の外側）に向かって延びている。延出部５２４は、溝１８に設けられたレール２の下側の内向き壁部２４に当接配置されている。なお、延出部５２４が延びる方向は、上向き部５２３と直交する方向でなくても、溝１８の底部１８ａに向かうにしたがって次第に上方または下方に向かうように傾斜していてもよい。この場合、延出部５２４がレール２の内向き壁部２４に当接していればよい。
【００６５】
係合部５２５は、延出部５２４の端部（溝１８の底部１８ａ側の端部）から鉛直上方に向かって延びている。係合部５２５は、上向き部５２３よりも溝１８の底部１８ａ側（棚幅方向の外側）に配置されている。係合部５２５の上端部は、レール２の上側の内向き壁部２４に係合されている。換言すると、係合部５２５の上端部は、レール２の内向き壁部２４における溝１８の底部１８ａ側を向く面に当接している。これにより、棚受け金具５００はレール２に係合されている。
【００６６】
棚板５が板材１に取り付けられた状態で、棚板５の棚幅方向の端部の面（端面）５ｓと板材１の取付面１ｍとの間には、隙間ｔ１が形成されている。
【００６７】
少なくとも１枚の棚板５は、図４に示すように、棚幅方向の両端部が棚板固定手段である棚固定金具５５０を介して板材１に固定されている。本実施形態のように、２スパンの構成では、一方の収納内部空間（Ｓ１またはＳ２）では、２枚の棚板５が棚固定金具５５０を介して板材１に固定され、他方の収納内部空間（Ｓ２またはＳ１）では、１枚の棚板５が棚固定金具５５０を介して板材１に固定されることが好ましい。
【００６８】
棚固定金具５５０は、固定対象となる棚板５において、前後２箇所の棚受け金具５００のうち前側の棚受け金具５００の少し後方に配置されている。
【００６９】
棚固定金具５５０は、前後方向から見て略Ｌ字状をなしている。棚固定金具５５０は、第１片部５５１と、第２片部５６１と、連結片部５７１と、を有している。
【００７０】
第１片部５５１は、板状に形成されている。第１片部５５１は、板厚方向を棚幅方向に向けて配置されている。第１片部５５１は、板材１の取付面１ｍに沿って配置されている。
【００７１】
第１片部５５１には、板厚方向に貫通する取付孔（不図示。以下同じ。）が形成されている。取付孔から挿通された螺子５５３が、板材１に螺合されている。
【００７２】
第２片部５６１は、板状に形成されている。第２片部５６１は、板厚方向を上下方向に向けて配置されている。第２片部５６１は、棚板５の下面５ｄに沿って配置されている。
【００７３】
第２片部５６１には、板厚方向に貫通する取付孔５６２が形成されている。取付孔５６２から挿通された螺子５６３が、棚板５に螺合されている。
【００７４】
連結片部５７１は、第１片部５５１の上端部と第２片部５６１の端部（棚幅方向の外側の端部）とを連結している。
【００７５】
棚固定金具５５０には、第１片部５５１、第２片部５６１及び連結片部５７１を覆うように金具キャップ５８１が設けられている。
【００７６】
次に、Ｌ字棚板ユニット６Ａ及びＬ字棚板ユニット６Ａの取付構造について説明する。
図１の第２収納内部空間Ｓ２の上部には、Ｌ字棚板ユニット６Ａが設けられている。
なお、下記のＬ字棚板ユニット６Ａや他のオプション取付部材ＯＰの構造及び取付構造説明において、前述したオプション取付部材ＯＰの一部と同様の構成については、同一の符号を付して説明を省略する。
【００７７】
Ｌ字棚板ユニット６Ａは、後側に配置された上記に示す棚板５と、前側に配置されたＬ字用棚板６と、を有している。棚板５とＬ字用棚板６とは、前後方向に当接配置されている。
【００７８】
Ｌ字用棚板６の棚幅方向の寸法は、棚板５の棚幅方向の寸法よりも短い。Ｌ字用棚板６は、隣り合う板材１の一方側の板材１に設けられている。これにより、利用者は、Ｌ字用棚板６よりも他方の板材１側に立って、後側の棚板５に載置された物品にアクセスすることが可能である。
【００７９】
図５は、Ｌ字棚板ユニット６Ａの取付構造を示す図であり、下方から見た斜視図である。
図５に示すように、棚板５の後端部は、棚幅方向の両端部が棚受け金具５００を介して板材１に支持されている。棚板５の前部では、棚幅方向の両端部が棚固定金具５５０を介して棚板５に固定されている。棚板５の前端部では、棚受け金具５００に替えてＬ字棚受け金具６００を介して板材１に支持されている。
【００８０】
Ｌ字棚受け金具６００は、棚板５とＬ字用棚板６とにまたがって配置されている。換言すると、Ｌ字棚受け金具６００は、棚板５の前端部からＬ字用棚板６の後端部まで配置されている。
【００８１】
図６は、Ｌ字棚受け金具６００の構成を示す斜視図である。図６では、後述するパイプ受け７００も示し、棚板５及びＬ字用棚板６の図示を省略している。
図６に示すように、Ｌ字棚受け金具６００は、支持面部６０１と、棚係合爪５１１と、レール係合片５２１と、を有している。
【００８２】
支持面部６０１は、板状に形成されている。支持面部６０１は、板厚方向を上下方向に向けて配置されている。図５に示すように、支持面部６０１の上面に棚板５の下面５ｄが当接配置され、支持面部６０１上に棚板５が載置されている。支持面部６０１は、平面視で前後方向に長い長方形状をなしている。
【００８３】
図６に示すように、支持面部６０１の後部には、上下方向に貫通する貫通孔６０２が形成されている。支持面部６０１の前部には、上下方向に貫通する取付孔６０３が前後２箇所形成されている。各取付孔６０３から挿通された螺子６０４（図５参照）が、Ｌ字用棚板６に螺合されている。
【００８４】
棚係合爪５１１は、支持面部６０１から上方に向かって突出している。棚係合爪５１１は、棚板５に形成された棚係合穴５２（図４参照。以下同じ。）に係合されている。
【００８５】
レール係合片５２１は、支持面部６０１の前部及び後部にそれぞれ設けられている。各レール係合片５２１の係合部５２５の上端部は、レール２の内向き壁部２４に係合されている。
【００８６】
支持面部６０１の端部（レール２に近接する側の端部）には、前後のレール係合片５２１の間に、棚幅方向の内側に向かって凹む挿通部６０６が形成されている。挿通部６０６は、支持面部６０１を上下方向に貫通して形成されている。挿通部６０６には、後述するパイプ受け７００の垂下面部７０１が挿通可能とされている。
【００８７】
図５に示すように、Ｌ字用棚板６の後端部には、ジョイント部材６５０が棚幅方向に離間して２箇所に固定されている。
【００８８】
図７は、図５のＣ−Ｃ線断面図である。
図７に示すように、ジョイント部材６５０は、取付面部６５１と、下面部６６１と、上面部６７１と、を有している。
【００８９】
取付面部６５１は、板状に形成されている。取付面部６５１は、板厚方向を前後方向に向けて配置されている。取付面部６５１には、前後方向に貫通する取付孔６５２が形成されている。取付孔６５２から挿通された螺子６５３が、Ｌ字用棚板６に螺合されている。取付面部６５１は、棚板５の前端面５ｆとＬ字用棚板６の後端面６ｂとの間に挟み込まれている。
【００９０】
下面部６６１は、取付面部６５１の下端部から、前方に向かって延びている。下面部６６１は、板状に形成されている。下面部６６１は、板厚方向を上下方向に向けて配置されている。下面部６６１は、Ｌ字用棚板６の下面６ｄに沿って配置されている。
【００９１】
上面部６７１は、取付面部６５１の上端部から、前方及び後方に向かって延びている。上面部６７１は、板状に形成されている。上面部６７１は、板厚方向を上下方向に向けて配置されている。上面部６７１の前部は、Ｌ字用棚板６の上面６ｕに沿って配置されている。上面部６７１の後部は、棚板５の上面５ｕに沿って配置されている。
【００９２】
図５に示すように、Ｌ字用棚板６の前端部は、棚受け金具５００を介して板材１に支持されている。
【００９３】
このようにして、Ｌ字用棚板６は、後端部がＬ字棚受け金具６００を介して板材１に支持され、前端部が棚受け金具５００を介して板材１に支持されている。さらに、Ｌ字用棚板６に固定されたジョイント部材６５０の上面部６７１が棚板５に載置されることで、Ｌ字用棚板６は棚板５にも支持されている。
【００９４】
次に、ハンガーパイプ７及びハンガーパイプ７の取付構造について説明する。
図１に示すように、ハンガーパイプ７は、パイプ受け７００を介して板材１のレール２に取り付けられている。ハンガーパイプ７には、ハンガー等を掛けることができる。
【００９５】
図６に示すように、パイプ受け７００は、垂下面部７０１と、レール係合片７１１と、パイプ支持部７２１と、を有している。
【００９６】
垂下面部７０１は、板状に形成されている。垂下面部７０１は、板厚方向を収納ユニット１００の幅方向に向けて配置されている。垂下面部７０１の下部には、収納ユニット１００の幅方向に貫通する取付孔７０２が形成されている。
【００９７】
垂下面部７０１の下端部には、収納ユニット１００の幅方向から見て、下方に凸となるように湾曲形成された湾曲部７０３が形成されている。湾曲部７０３の形状は、ハンガーパイプ７の下部の形状に対応している。
【００９８】
図２に示すように、垂下面部７０１の外面（板材１の取付面１ｍに近接する側の面）の上部は、上方に向かうにしたがって次第に取付面１ｍから離間する方向に傾斜する傾斜面７０４が形成されている。これにより、垂下面部７０１の外面の上端部は、板材１の取付面１ｍとの間に隙間が形成されている。
【００９９】
レール係合片７１１は、延出部５２４と、係合部５２５と、を有している。延出部５２４は、垂下面部７０１の上端部から、板材１の溝１８の底部１８ａに向かう方向に向かって延びている。係合部５２５は、延出部５２４の端部（溝１８の底部１８ａ側の端部）から鉛直上方に向かって延びている。係合部５２５の上端部は、レール２の上側の内向き壁部２４に係合されている。これにより、パイプ受け７００はレール２に係合されている。
【０１００】
垂下面部７０１の上端部は、棚板５の端面５ｓと板材１の取付面１ｍとの間に形成された隙間ｔ１に配置されている。パイプ受け７００は、レール２に係合された状態で、隙間ｔ１を前後方向に移動可能とされている。これにより、同一レール２を利用して、棚板５の前後方向内に、ハンガーパイプ７を設けることができる。
【０１０１】
図６に示すように、垂下面部７０１の上端部は、Ｌ字棚受け金具６００の挿通部６０６に挿通可能とされている。これにより、同一レール２に、棚板５、Ｌ字用棚板６及びハンガーパイプ７を設けることができる。
【０１０２】
パイプ支持部７２１は、垂下面部７０１の下端部に設けられている。パイプ支持部７２１は、受け底壁部７２２と、受け側壁部７２３と、を有している。
【０１０３】
受け底壁部７２２は、垂下面部７０１の湾曲部７０３の下端部に沿って設けられている。受け底壁部７２２は、垂下面部７０１から直交し板材１から離間する方向に延びている。
【０１０４】
受け側壁部７２３は、垂下面部７０１の下部の前後方向の両端部にそれぞれ設けられている。受け側壁部７２３は、垂下面部７０１から直交し板材１から離間する方向に延びている。受け側壁部７２３は、受け底壁部７２２と連続して設けられている。
【０１０５】
図１に示すように、ハンガーパイプ７は、棒状に形成されている。ハンガーパイプ７は、収納ユニット１００の幅方向に延びている。
【０１０６】
図２に示すように、ハンガーパイプ７の延在方向の両端部は、パイプ受け７００の受け底壁部７２２及び受け側壁部７２３に支持されている。
【０１０７】
ハンガーパイプ７の延在方向の両端部には、螺子孔（不図示。以下同じ。）が形成されている。パイプ受け７００の垂下面部７０１の取付孔７０２（図６参照。以下同じ。）から挿通された螺子（不図示。以下同じ。）がハンガーパイプ７の螺子孔に螺合されている。
【０１０８】
次に、フック８及びフック８の取付構造について説明する。
図１に示すように、フック８は、上下面部８１と、レール係合片７１１（図２に示すパイプ受け７００のレール係合片７１１参照。以下同じ。）と、鉤状部８６と、を有している。フック８には、紐状や鉤状等の物品を掛けることができる。
【０１０９】
上下面部８１は、板状に形成されている。上下面部８１は、板厚方向を収納ユニット１００の幅方向に向けて配置されている。
【０１１０】
レール係合片７１１は、延出部５２４と、係合部５２５と、を有している。延出部５２４は、上下面部８１の上端部から、板材１の溝１８の底部１８ａに向かう方向に向かって延びている。係合部５２５は、延出部５２４の端部（溝１８の底部１８ａ側の端部）から鉛直上方に向かって延びている。係合部５２５の上端部は、レール２の内向き壁部２４に係合されている。これにより、フック８はレール２に係合されている。
【０１１１】
鉤状部８６は、上下面部８１の下端部に設けられている。鉤状部８６は、延出壁部８６ａと、上向き壁部８６ｂと、を有している。
【０１１２】
延出壁部８６ａは、上下面部８１の下端部から直交し板材１から離間する方向に延びている。上向き壁部８６ｂは、延出壁部８６ａの端部（板材１側と反対側の端部）から上方に向かって延びている。上向き部５２３により、延出壁部８６ａに掛けられた物品の移動及び落下が抑制されている。
【０１１３】
次に、サイドバー９及びサイドバー９の取付構造について説明する。
サイドバー９は、上下面部８１と、レール係合片７１１（図２に示すパイプ受け７００のレール係合片７１１参照。以下同じ。）と、連結壁部９６と、を有している。サイドバー９には、鉤状等の物品を掛けることができる。
【０１１４】
上下面部８１は、前後方向に離間して一対設けられている。上下面部８１は、板厚方向を収納ユニット１００の幅方向に向けて配置されている。
【０１１５】
レール係合片７１１は、延出部５２４と、係合部５２５と、を有している。延出部５２４は、各上下面部８１の上端部から、板材１の溝１８の底部１８ａに向かう方向に向かって延びている。係合部５２５は、延出部５２４の端部（溝１８の底部１８ａ側の端部）から上方に向かって延びている。係合部５２５の上端部は、レール２の内向き壁部２４に係合されている。これにより、フック８はレール２に係合されている。
【０１１６】
連結壁部９６は、一対の上下面部８１の下端部どうしを連結している。連結壁部９６は、各上下面部８１の下端部から他方の上下面部８１から離間する方向の延びる第１壁部９６ａと、各第１壁部９６ａの端部から板材１から離間する方向の延びる第２壁部９６ｂと、第２壁部９６ｂの端部どうしを連結する第３壁部９６ｃと、を有している。
【０１１７】
なお、棚板５、Ｌ字棚板ユニット６Ａ、ハンガーパイプ７、フック８及びサイドバー９の設置位置はレール２に沿って適宜設定可能である。
【０１１８】
次に、上記の収納ユニット１００の施工方法について説明する。オプション取付部材ＯＰの一例として、棚板５の取り付け方法について説明する。
まず、一方の側板１Ａの側板固定工程を行う。
ここでは、まず、壁Ｗ１に面した側板１Ａ（以下、側板１ＡＡとする。図１参照。）を設置するものとする。壁Ｗ１に面して側板１ＡＡを配置して、側板１ＡＡを螺子で壁Ｗ１に固定する。また、側板１ＡＡの下端部を螺子で床に固定し、螺子には螺子隠しキャップ１６を被せる。なお、側板１ＡＡや後述する中仕切板１Ｄには、予めレール２が設けられている。
【０１１９】
次に、第１収納内部空間Ｓ１での第一連結部材設置工程を行う。
側板１ＡＡの上端部且つ後端部に、上桟固定金具３６を螺子３７ｚで固定する。上桟固定金具３６の支持片３９に、上桟（第一連結部材）３の端部３ａを載せて、螺子３８ｚで上桟３を上桟固定金具３６に固定する。
【０１２０】
次に、第１収納内部空間Ｓ１での幅木設置工程を行う。
側板１ＡＡの下端部且つ後端部に、幅木４の端部４ａを突き当てて、幅木４をタッカー等で後方の壁Ｗ３に固定する。
【０１２１】
次に、中仕切板連結工程を行う。
中仕切板１Ｄにおいて、第１収納内部空間Ｓ１側を向く面に、上記と同様にして、上桟固定金具３６を螺子３７ｚで固定する。
【０１２２】
中仕切板１Ｄを上桟３の端部３ｂ及び幅木４の端部４ｂに突き当てるようにして、中仕切板１Ｄを所定の位置に配置する。上桟３及び幅木４は、中仕切板１Ｄの幅方向及び前後方向の位置出しの役割を担っている。
【０１２３】
中仕切板１Ｄに設けられた上桟固定金具３６の支持片３９に、上桟３の端部３ｂを載せて、螺子３８ｚで上桟３を上桟固定金具３６に固定する。
【０１２４】
次に、中仕切板固定工程を行う。
中仕切板１Ｄの下端部を螺子で床に固定し、螺子には螺子隠しキャップ１６を被せる。
【０１２５】
次に、他方の側板１Ａの側板固定工程を行う。
壁Ｗ２に面して側板１Ａ（以下、側板１ＡＢとする。図１参照。）を配置して、側板１ＡＢを螺子で壁Ｗ２に固定する。また、側板１ＡＢの下端部を螺子で床に固定し、螺子には螺子隠しキャップ１６が被せる。なお、側板１ＡＡを壁Ｗ１に固定する工程で、側板１ＡＢも壁Ｗ２に固定しておいてもよい。
【０１２６】
次に、第２収納内部空間Ｓ２での第二連結部材連結工程を行う。
中仕切板１Ｄにおける第２収納内部空間Ｓ２側を向く面の上端部且つ後端部に、上桟固定金具３６を螺子３７ｚで固定する。側板１ＡＢの上端部且つ後端部に、上桟固定金具３６を螺子３７ｚで固定する。各上桟固定金具３６の支持片３９に、上桟（第二連結部材）３の端部を載せて、螺子３８ｚで上桟３を上桟固定金具３６に固定する。
【０１２７】
次に、第２収納内部空間Ｓ２での幅木設置工程を行う。
幅木４の端部４ａ，４ｂを、中仕切板１Ｄ及び側板１ＡＢの下端部且つ後端部に突き当てて、幅木４をタッカー等で後方の壁Ｗ３に固定する。
なお、第二連結部材連結工程及び幅木設置工程において、第２収納内部空間Ｓ２の開口寸法（中仕切板１Ｄと側板１ＡＢとの離間寸法）に合わせて、現場で上桟３及び幅木４を切断するようにしてもよい。
【０１２８】
次に、棚板支持工程を行う。
棚板５を設置する箇所のレール２に、棚受け金具５００を係合させる。この際に、棚受け金具５００を、棚受け金具５００の上向き部５２３が下方に向かうにしたがって次第に板材１から離間するように傾斜させて、棚受け金具５００の先端部（係合部５２５）をレール２の上下の内向き壁部２４の間に挿入する。その後、上向き部５２３が板材１に沿うように、係合部５２５を中心として棚受け金具５００を回転させて、係合部５２５をレール２の内向き壁部２４に係合させる。
【０１２９】
側板１Ａと中仕切板１Ｄとの間に棚板５を配置して、棚板５の棚係合穴５２に棚受け金具５００の棚係合爪５１１を係合させる。なお、この際に、棚板５を設置する収納内部空間の開口寸法に合わせて、現場で棚板５を切断するようにしてもよい。この場合には、棚板５の棚幅方向のうち棚係合穴５２が設けられた側と残すようにして、棚幅方向の反対側には棚係合爪５１１と係合可能な大きさの下穴を設けるようにする。
【０１３０】
次に、棚板固定工程を行う。
棚板５を側板１Ａに固定する箇所では、棚固定金具５５０を板材１に取付面１ｍに配置し、第１片部５５１を螺子５５３で板材１に固定するとともに、第２片部５６１を螺子５６３で棚板５に固定する。
【０１３１】
このように構成された収納ユニット１００では、幅方向に隣り合って配置された板材１どうしは、取付面１ｍの上端部且つ後端部が上桟３で連結されている。これにより、収納ユニット１００の剛性が高められる。また、一対の側板１Ａはそれぞれ壁Ｗ１，Ｗ２に固定されることで、収納ユニット１００は設置される。よって、後方の壁Ｗ３の補強桟等に固定する必要がなく、後方の壁Ｗ３の仕様が限定されず、あるいは後方に壁が配置されていなくてもよいため、レイアウトの自由度を高めることができる。
【０１３２】
また、中仕切板１Ｄが幅方向に離間して配置された一対の側板１Ａの間に配置されているため、収納ユニット１００内の空間を中仕切板１Ｄで幅方向に分割することができる。
【０１３３】
また、中仕切板１Ｄを設置する際には、中仕切板１Ｄを上桟３及び幅木４に当接するように配置すればよく、中仕切板１Ｄの位置決めがしやすい。
【０１３４】
また、棚受け金具５００により棚板５を板材１に支持させることで、隣り合う板材１の間に棚板５を設けることができる。また、少なくとも１枚の棚板５は、幅方向の両端部が、棚固定金具５５０により板材１に固定されている。よって、棚板５が両側の板材１を幅方向に突っ張るため、収納ユニット１００の剛性がより高められる。
【０１３５】
また、棚板５を板材１に支持させる際には、棚受け金具５００のレール係合片５２１をレール２に係合し、棚受け金具５００の棚係合爪５１１を棚板５の棚係合穴５２に係合すればよい。よって、棚板５を板材１に容易に支持させることができる。
【０１３６】
また、レール２が板材１の前後方向の略全長にわたって設けられているため、オプション取付部材ＯＰを板材１の前後方向の所望の箇所に設置することができる。
【０１３７】
また、図１の第２収納内部空間Ｓ２上部に設けられているように、棚板５を前後方向に２枚隣接配置することもできる。後側の棚板５を棚受け金具５００で支持するとともに棚固定金具５５０で固定し、前側の棚板５を棚受け金具５００で支持する構成とすれば、前側の棚板５は容易に取り外しができるため、使い勝手が良い。
【０１３８】
（変形例）
次に、本発明の変形例に係る収納システムについて、主に図８を用いて説明する。
下記に示す変形例の説明において、前述した部材と同一の部材には同一の符号を付して、その説明を省略する。
図８は、本発明の一実施形態の変形例に係る収納ユニットを備えた収納システムの斜視図である。
図８に示すように、本変形例の収納システム１０１は、第１収納ユニット１００Ａと、第２収納ユニット１００Ｂと、を備えている。第１収納ユニット１００Ａ及び第２収納ユニット１００Ｂで、平面視で全体として略Ｌ字状に配置されている。
【０１３９】
第１収納ユニット１００Ａは、上記に示す収納ユニット１００と比較して、中仕切板１Ｄの幅方向の配置位置やオプション取付部材ＯＰの配置等が異なり点を除いて、収納ユニット１００と同様の構成である。
【０１４０】
第２収納ユニット１００Ｂは、側板１Ｂと、中仕切板１Ｅと、複数の棚板５と、上桟３と、幅木４（不図示。以下同じ。）と、を備えている。
【０１４１】
側板１Ｂは、壁Ｗ４に、螺子（不図示。以下同じ。）で上下及び前後にそれぞれ複数箇所固定されている。側板１Ｂの下端部は、螺子（不図示。以下同じ。）で床に固定されている。
【０１４２】
中仕切板１Ｅは、側板１Ｂと幅方向に離間して配置されている。中仕切板１Ｅにおける側板１Ｂ側と反対側の下端部は、螺子（不図示。以下同じ。）で床に固定されている。中仕切板１Ｅには、壁等の構造体に面して配置されていない。
【０１４３】
中仕切板１Ｅは、第１収納ユニット１００Ａとの間に空間Ｓ１０を有して配置されている。利用者は空間Ｓ１０に立って、第１収納ユニット１００Ａへのアクセスができるとともに、中仕切板１Ｅにおける第１収納ユニット１００Ａ側を向く面に設けられたオプション取付部材ＯＰ（不図示。以下同じ。）等にアクセスすることができる。
【０１４４】
棚板５は、棚受け金具５００（図４参照。）で側板１Ｂ及び中仕切板１Ｅのレール２に支持されている。また、所定の棚板５は、棚固定金具５５０（図４参照。）でレール２に固定されている。なお、１スパン（側板１Ｂと中仕切板１Ｅとにより形成される１空間）につき、２枚以上の棚板５が棚固定金具５５０でレール２に固定されていることが好ましい。
【０１４５】
このように構成された収納システム１０１では、第２収納ユニット１００Ｂでは、幅方向に隣り合って配置された側板１Ｂと中仕切板１Ｅとは、取付面１ｍの上端部且つ後端部が上桟３で連結されている。これにより、第２収納ユニット１００Ｂの剛性が高められる。また、側板１Ｂが壁Ｗ４に固定されることで、第２収納ユニット１００Ｂは設置される。よって、後方の壁Ｗ１の補強桟等に固定する必要がなく、後方の壁Ｗ１または壁Ｗ１における第２収納ユニット１００Ｂの後方部分の仕様が限定されず、あるいは後方に壁が配置されていなくてもよいため、レイアウトの自由度を高めることができる。第１収納ユニット１００Ａは、上記に示す実施形態の収納ユニット１００と同様の作用効果を奏する。
【０１４６】
なお、本発明に係る収納ユニット１００は、上述した実施形態に限定されるものではなく、本発明の要旨を逸脱しない範囲で適宜の変更や置換等が可能である。
【０１４７】
例えば、上記に示す実施形態では、棚板５を板材１に固定する棚板固定手段として、棚固定金具５５０を例に挙げて説明したが、本発明はこれに限られない。棚板５を螺子で板材１に固定する構成であってもよい。また、板材１及び棚板５に穴を設け、穴どうしをダボで連結するとともに、棚板５を板材１との間の隙間ｔ１を楔型の詰め物等で埋める構成でもよい。あるいは、ダボと螺子とを併用する構成であってもよい。
【０１４８】
また、上記に示す変形例の第２収納ユニット１００Ｂにおける構成で、側板１Ｂと中仕切板１Ｅとの間に、中仕切板を１枚以上追加配置してもよい。この場合には、各収納内部空間（隣り合う板材１どうしの間）に、それぞれ２枚以上の棚板５を棚固定金具５５０で固定することが好ましい。
【０１４９】
また、上記に示す実施形態では、レール２が板材１の前後方向の略全長に設けられているが、本発明はこれに限られない。レールは、板材１の前後方向に断続的に設けられていてもよく、または板材１の前後方向のうち一部分にのみ設けられていてもよい。
【符号の説明】
【０１５０】
１…板材
１Ａ…側板（板材）
１Ｄ…中仕切板（板材）
１ｍ…取付面
２…レール
３…上桟（連結部材）
４…幅木
５…棚板
６…Ｌ字用棚板
６Ａ…Ｌ字棚板ユニット
７…ハンガーパイプ
８…フック
９…サイドバー
１０…枠体
１５…面材
１８…溝
１９…接着剤
２１…レール底壁部
２２…レール側壁部
２３…レールフランジ壁部
２４…内向き壁部
２５…外向き壁部
３６…上桟固定金具
５２…棚係合穴
１００…収納ユニット
１００Ａ…第１収納ユニット
１００Ｂ…第２収納ユニット
５００…棚受け金具（係合部材）
５０１…支持面部
５１１…棚係合爪（棚板被係合部）
５２１…レール係合片（レール被係合部）
５５０…棚固定金具
６００…Ｌ字棚受け金具
６５０…ジョイント部材
７００…パイプ受け
ＯＰ…オプション取付部材
Ｓ１…第１収納内部空間
Ｓ２…第２収納内部空間
ｔ１…隙間
Ｗ１，Ｗ２，Ｗ３…壁
【図１】
2020062328.tif 000003
【図２】
2020062328.tif 000004
【図３】
2020062328.tif 000005
【図４】
2020062328.tif 000006
【図５】
2020062328.tif 000007
【図６】
2020062328.tif 000008
【図７】
2020062328.tif 000009
【図８】
2020062328.tif 000010